(57)【要約】      （修正有）【課題】個別包装された生理用品内にごみが入らず、生理用品の内部を清潔に保てて、薄型の吸収性物品の個包装体であっても開封しやすい個包装体を提供する。【解決手段】包装材３０は、前折線Ｌ１、中央折線Ｌ２および後折線Ｌ３を有し、各折線によって前方部２１、中央前部２２、中央後部２３および後方部２４とに区分され、吸収性物品１０が配された状態で包装材が長手方向に４つ折りに折り畳まれており、前折線で前方部と中央前部のそれぞれの吸収性物品が配される面同士が対向するように折畳まれ、後折線で後方部と中央後部のそれぞれの吸収性物品が配される面同士が対向するように折畳まれており、吸収性物品は、肌当接面が個包装体２０の内側となるように少なくとも中央折線で折畳まれ、前折線と後折線とは重ならず、包装材の前方部と後方部の少なくとも一方には、前方部と後方部が対向している領域において、包装安定手段９が設けられている。【選択図】図１
2014076216.tif 000002
【特許請求の範囲】
【請求項１】
肌当接面とその反対面に非肌当接面を備えた吸収性物品をその非肌当接面側に設けた包装材とともに個別包装した吸収性物品の個包装体であって、
前記包装材は、前折線、中央折線および後折線を有し、前記各折線によって前方部、中央前部、中央後部および後方部とに区分され、吸収性物品が配された状態で該包装材が長手方向に４つ折りに折り畳まれており、
前記前折線で前記前方部と前記中央前部のそれぞれの前記吸収性物品が配される面同士が対向するように折畳まれ、前記後折線で前記後方部と前記中央後部のそれぞれの前記吸収性物品が配される面同士が対向するように折畳まれており、
前記吸収性物品は、肌当接面が個包装体の内側となるように少なくとも前記中央折線で折畳まれ、
前記前折線と前記後折線とは重ならず、
前記包装材の前方部と後方部の少なくとも一方には、該前方部と後方部が対向している領域において、包装安定手段が設けられている、吸収性物品の個包装体。
【請求項２】
前記包装安定手段がホットメルト接着剤である請求項１に記載の吸収性物品の個包装体。
【請求項３】
前記包装安定手段の設置面および被着面は、平面視前記吸収性物品の本体ズレ止め材が存在する位置に重なって存する請求項１または２に記載の吸収性物品の個包装体。
【請求項４】
前記吸収性物品は、粘着部を備えた、ウイング、もしくはウイングとヒップガードを有し、
前記粘着部は剥離可能な剥離シートが接着され、
前記剥離シートは少なくとも前記包装材に固定されている。
請求項１ないし３のいずれか１項に記載の吸収性物品の個包装体。
【請求項５】
前記吸収性物品が前記ウイングおよび前記ヒップガードの両方を有し、前記剥離シートは前記ウイングの粘着部および前記ヒップガードの粘着部のそれぞれに分離して剥離可能に接着されている
請求項４に記載の吸収性物品の個包装体。
【請求項６】
前記前折線と前記後折線で折り畳まれた前記個包装体を開封した状態で、前記吸収性物品の前後方向を見分ける印が前記剥離シートもしくは前記包装材に表示されている
請求項４または５に記載の吸収性物品の個包装体。
【請求項７】
前記包装材の前方部で前記吸収性物品が配された面とは反対の裏面に固定された前記剥離シートが前記包装材への固定位置より前記前折線方向に延出されている
請求項４ないし６のいずれか１項に記載の吸収性物品の個包装体。
【発明の詳細な説明】
【技術分野】
【０００１】
本発明は吸収性物品の個包装体に関する。
【背景技術】
【０００２】
従来、生理用ナプキン、パンティライナー（おりものシート）等の吸収性物品は、製品としては、包装材とともに折り畳まれ、個別包装されて、内装パックに封入されて市販等されている。特に生理用品は、この内装パックから取り出して、ポーチ等に入れて携行する場合がある。
【０００３】
特許文献１には、未使用時に折り畳まれた状態で収容され、使用時に展開して被着体に係止して使用される吸収性物品が開示されている。この吸収性物品は、外面領域に被着体に対して当該吸収性物品を係止するための粘着領域と、未使用時に隣接する他の吸収性物品又は同一の吸収性物品の粘着領域に接する離型領域とを備えている。粘着領域は、被着体に着脱可能な粘着面を有する粘着部と、粘着面から突出した複数の突起部とを備えている。離型領域は特別な離型処理を施していない外面領域で構成されている。
また、粘着領域および離型領域は、吸収性物品の長手方向両端近傍に形成されている。吸収性物品の未使用時には、離型領域が形成された両端を内側中央付近に向かって折り込み、さらに、同一物品内の一端の粘着領域と他端の離型領域とが接するように吸収性物品が４つ折りにされている。
【０００４】
特許文献２には、本体の前方に左右一対の第１ウイング部および該本体の後方に左右一対の第２ウイング部を有し、本体の非肌当接面側に本体粘着部が設けられ且つ第１および第２ウイング部の非肌当接面側にそれぞれ第１ウイング粘着部および第２ウイング粘着部が設けられている吸収性物品と、これを個装する包装シートとからなり、本体粘着部と包装シートの内面とを剥離自在に粘着させて、吸収性物品と包装シートとを一体的に折り畳んでなる吸収性物品の包装構造が開示されている。第１および第２ウイング部は、それぞれ、本体の肌当接面側に折り曲げられている。第１および第２ウイング粘着部は、共に、粘着部保護シートに剥離自在に粘着されている。保護シートは、包装シートの前端縁側に位置する第１又は第２ウイング粘着部よりも該前端縁側に延出された延出部を有している。この延出部は、包装シートの外面または吸収性物品の後端よりも外方に延出された包装シートの内面に、上記粘着部保護シートを固定する固定部を有している。
上記吸収性物品と包装シートとは、一体的に４つ折りに折り畳まれており、固定部は包装シートの外面に固定されている。
【先行技術文献】
【特許文献】
【０００５】
【特許文献１】特開２００３−１５９２６８号公報
【特許文献２】特開２０００−０８３９９１号公報
【発明の概要】
【発明が解決しようとする課題】
【０００６】
上述した特許文献１に開示された吸収性物品は、使用時に剥す離型紙（保護フィルム）を用いないことが特長となっており、離型紙などの別部材を用いることなく、装着時および装着中において最適な係合力を発揮するとされる。しかしながら、使用前の折り畳まれた吸収性物品であっても、衛生的に持ち運びにくいので、携帯用には不向きである。またズレ止め面を広く確保できないという不利な点がある。
また上述した特許文献１に開示された吸収性物品の包装構造は、各粘着部が相互に接着することがなく、取り出しが容易であるとされる。しかし、製品本体を取り出すときに保護シートつきの包装シートが長く、大きくなってしまう。
【０００７】
生理用品は、複数の生理用品が包装された内装パックから取り出して、個別にポーチ等に入れて携行する場合がある。携行時に、個別包装された生理用品内にごみが入らず、製品を清潔に保てることが求められている。さらに、廃棄する個装材もコンパクトで、廃棄しやすいことが求められている。また、通常の包装材は、製品と共に後端から、先端に向かって順に折畳まれており、開封部は包装材と製品の端部であるため、薄型の吸収性物品の個包装体では、包装材を最初に開封するときに、薄すぎるために開封し難い場合がある。そのため、開封しやすい包装形態が求められている。この開封し難いという問題を解決するために、タブテープを用いてつまみ部を設ける商品が多い。しかし、テープの粘着力が強すぎて包装材が破れて開封し難い上に廃棄するときにテープに破れた包装材が付着してしまい、使用済みナプキンを包装材でつつんで丸めたあとにテープで止められず、捨て難いという問題が生じている。
【０００８】
本発明は、個別包装された生理用品の携行時に、個別包装された生理用品内にごみが入らず、生理用品の内部を清潔に保てて、薄型の吸収性物品の個包装体であっても開封しやすく、廃棄し易い吸収性物品の個包装体を提供することに関する。
【課題を解決するための手段】
【０００９】
本発明は、肌当接面とその反対面に非肌当接面を備えた吸収性物品をその非肌当接面側に設けた包装材とともに個別包装した吸収性物品の個包装体であって、前記包装材は、前折線、中央折線および後折線を有し、前記各折線によって前方部、中央前部、中央後部および後方部とに区分され、吸収性物品が配された状態で該包装材が長手方向に４つ折りに折り畳まれており、前記前折線で前記前方部と前記中央前部のそれぞれの前記吸収性物品が配される面同士が対向するように折畳まれ、前記後折線で前記後方部と前記中央後部のそれぞれの前記吸収性物品が配される面同士が対向するように折畳まれており、前記吸収性物品は、肌当接面が個包装体の内側となるように少なくとも前記中央折線で折畳まれ、前記前折線と前記後折線とは重ならず、前記包装材の前方部と後方部の少なくとも一方には、該前方部と後方部が対向している領域において、包装安定手段が設けられている、吸収性物品の個包装体を提供する。
【発明の効果】
【００１０】
本発明の吸収性物品の個包装体は、個別包装された生理用品の携行時に、個別包装された生理用品内にごみが入らず、製品を清潔に保つことができ、薄型の吸収性物品の個包装体であっても開封しやすい。
【図面の簡単な説明】
【００１１】
【図１】本発明の吸収性物品の個包装体の好ましい一実施形態（第１実施形態）の第１例を示した図面であり、（ａ）は吸収性物品の個包装体の展開図、（ｂ）は吸収性物品の個包装体の拡大平面図および（ｃ）は吸収性物品の個包装体を模式的に示した拡大側断面図である。
【図２】第２実施形態に係る別の吸収性物品の個包装体の一例を、包装材の一部が折り畳まれた状態で示した展開図である。
【図３】各実施形態に係る吸収性物品の個包装体の別の一例を示した一部展開平面図である。
【図４】各実施形態に用いる吸収性物品としての生理用ナプキンの一例を示した部分破断斜視図である。
【発明を実施するための形態】
【００１２】
本発明に係る吸収性物品の個包装体の好ましい一実施形態（第１実施形態）について、図１を参照しながら、以下に説明する。なお、本明細書において「前方」とは吸収性物品を着用したときの下腹部方向をいい、「後方」とは吸収性物品を着用したときの臀部方向をいう。また、着用時において肌当接面とは着用時に肌側に接する面をいい、反対側を非肌当接面という。更に、肌当接面に近い側を肌当接面側又は表面側、遠い側を非肌当接面又は裏面側という。
【００１３】
図１に示すように、本実施形態の個包装体２０（２０ａ）に包まれる、肌当接面とその反対面に非肌当接面を備えた吸収性物品は、例えばスリムタイプと呼ばれている薄型の生理用ナプキン１０である。以下、薄型の生理用ナプキンの個包装体について詳細に説明する。
【００１４】
吸収性物品の個包装体２０は、包装材３０を生理用ナプキン１０と共に長手方向に折り畳み、包装材３０を封止してなる。
個包装体２０は、前折線Ｌ１、中央折線Ｌ２および後折線Ｌ３を有し、各折線によって前方部２１、中央前部２２、中央後部２３および後方部２４に区分されていて、上記生理用ナプキン１０が本体ズレ止め材９で剥離可能に包装材３０に接着された状態で長手方向に４つ折りに折り畳まれている。本例は、長手方向に包装材３０より生理用ナプキン１０のほうが長く、幅方向に包装材３０より生理用ナプキン１０のほうが短い。言い換えれば、包装材３０はその長手方向において、その前後端部それぞれが、吸収性物品としての生理用ナプキン１０の長手方向前端縁及び後端縁それぞれよりも内側に位置している。一方で、本例では、包装材３０の前方部２１、中央前部２２、中央後部２３及び後方部２４の各部に対応して、生理用ナプキン１０が存在している。本明細書では、包装材３０に生理用ナプキン１０が配される面を包装材３０の表面とし、その反対側の面を包装材３０の裏面とする。
【００１５】
上記生理用ナプキン１０の中央前部２２の両側部には、ウイング５が配されていて、各ウイング５が生理用ナプキン１０の本体４とウイング５の境界基端位置から本体４の肌当接面側に折り畳まれている。生理用ナプキン１０では、中央前部２２において点線で示すように、物品幅方向中央部に、上層吸収体３ａが下層吸収体（図示せず）の上に配されている構成がある。この構成では、ウイング５は上層吸収体３ａに重ならないように折畳まれている。上記生理用ナプキン１０の中央後部２２から後方部２３の両側部には、ヒップガード６が配されていて、各ヒップガード６が生理用ナプキン１０の本体４とヒップガード６の境界基端位置から本体４の肌当接面側に折り畳まれている。なお、ウイング５は、排泄部使用付近で吸収体３（後述する図４参照。）を挟んで左右両側に延出され形成される張出し部分であり、ヒップガード６は、ウイング５の後方に位置し、吸収体３を挟んで左右両側に形成される、着用者の臀部位置に配される張出し部分である。
【００１６】
上記ウイング５の非肌当接面側には、粘着部７が配されている。この粘着部７は、ウイング５を折り返してショーツ（図示せず）に生理用ナプキン１０を装着する際に、生理用ナプキン１０をショーツの非肌当接面側に固定するものである。同様に、上記ヒップガード６の非肌当接面側には、粘着部８が配されている。この粘着部８は、ヒップガード６を折り返してショーツ（図示せず）に生理用ナプキン１０を装着する際に、生理用ナプキン１０をショーツに固定するものである。
【００１７】
上記包装材３０は、上記生理用ナプキン１０とともに、前折線Ｌ１で前方部２１と中央前部２２のそれぞれの生理用ナプキン１０が配される面同士が対向するように折畳まれ、ウイング５の粘着部７に剥離可能に接着されるように、前方部２１に位置する生理用ナプキン１０の肌当接面側に剥離シート１１が配されている。この剥離シート１１の一部が中央前部２２にかかるように配されていてもよい。さらにこの剥離シート１１は、生理用ナプキン１０の肌当接面側から長手方向の前方部２１端部を回りこむようにして包装材３０の裏面側に配されて固定されている。さらに剥離シート１１は、剥離シート１１が包装材３０に固定される固定部１２より前折線Ｌ１方向に延出されている。したがって、剥離シート１１の延出された部分の端部１１ｅは自由端となっているため、指で摘まみやすくなっている。
【００１８】
後折線Ｌ３で中央後部２３と後方部２４のそれぞれの生理用ナプキン１０が配される面同士が対向するように折畳まれている。本例の場合、前折線Ｌ１で前方部２１と中央前部２２のそれぞれの生理用ナプキン１０の肌当接面同士が対向するように折畳まれ、また、包装材３０とともに生理用ナプキン１０を折り畳んだ際に、上記ヒップガード６の粘着部８に剥離可能に接着されるように、後方部２４に位置する生理用ナプキン１０の肌当接面側に剥離シート１３が配されている。さらにこの剥離シート１３は、生理用ナプキン１０の肌当接面側から上記後方部２４の端部を回りこんで包装材３０の裏面側に配されて固定されている。
上述したように、剥離シート１１、１３は、分離して配されている。このため、剥離した後の個々の剥離シート１１、１３の長さが短いので、取扱いしやすくなり、廃棄時のごみが少なくなるという効果が得られる
【００１９】
上記包装材３０は、上記生理用ナプキン１０および剥離シート１１、１３とともに、前折線Ｌ１で前方部２１と中央前部２２のそれぞれの生理用ナプキン１０が配される面同士が対向するように折畳まれ、後折線Ｌ３で中央後部２３と後方部２４のそれぞれの生理用ナプキン１０が配される面同士が対向するように折畳まれている。その際、折線に剥離シートがかかっている場合には、折線で剥離シートも折り畳まれる。本例の場合、前折線Ｌ１で前方部２１と中央前部２２のそれぞれの生理用ナプキン１０の肌当接面同士が剥離シート１１を介して対向するように折り畳まれ、後折線Ｌ３で中央後部２３と後方部２４のそれぞれの生理用ナプキン１０の肌当接面同士が剥離シート１３を介して対向するように折り畳まれている。さらに、生理用ナプキン１０は、その肌当接面が個包装体２０の内側となるように少なくとも中央折線Ｌ２で折畳まれ、前方部２１の非肌当接面と後方部２４の非肌当接面が対向している。
【００２０】
包装材３０の裏面側に配された剥離シート１３を包装材３０に固定しない仕様では、１３に必要な長さは短くなり、ごみの削減が可能になる。
包装材３０の裏面側に剥離シート１１、１３を配しない場合には、包装材３０を生理用ナプキン１０より長く延出させ、生理用ナプキン１０の表面側に、ウイング５、ヒップガード６の粘着部７、８を覆うように配した別体の剥離紙（図示せず）、剥離フィルムのような剥離シートを接着させた仕様でもよい。剥離紙を接着する場合には、包装材３０の延出部を未剥離部とし、剥離紙の先端を折り畳むか、包装材３０と同様に未剥離部を設けて接着剤で固定することができる。剥離フィルムの場合には、包装材３０、剥離フィルム共に未剥離部を設けなくともヒートシールなどで接着、固定することができる。
【００２１】
そして前折線Ｌ１と後折線Ｌ３とは、個装状態で重ならず、互いにずれた位置に配されている（図１（ｂ）参照）。これによって、一方の折線位置を含む部分が開封用のつまみとして機能する。上記ずらし方は、前折線Ｌ１が外側で後折線Ｌ３が内側になっていてもよく、その逆に、前折線Ｌ１が内側で後折線Ｌ３が外側になっていてもよい。
また、前折線Ｌ１と後折線Ｌ３とのずらし量（Ｌ１とＬ３の距離。図１（ｂ）参照。）は、３ｍｍ以上、好ましくは５ｍｍ以上、さらに好ましくは７ｍｍ以上である。そして、前折線Ｌ１と後折線Ｌ３とのずらし量は２５ｍｍ以下、好ましくは２０ｍｍ以下、さらに好ましくは１５ｍｍ以下である。より具体的には、３ｍｍ〜２５ｍｍ、好ましくは５ｍｍ〜２０ｍｍ、さらに好ましくは７ｍｍ〜１５ｍｍとする。上記範囲とすることで、生理用ナプキン１０がスリムタイプのような薄いものであっても、外側に配された折線部分を摘まみやすくなるので、個包装体２０を開封しやすくなる。上記ずらし量が短過ぎると外側に配された折線部分が摘まみにくくなり、個包装体２０の開封動作がしにくくなる。
【００２２】
前折線Ｌ１と後折線Ｌ３のずれ位置については、図１（ｂ）に示したように前折線Ｌ１がつまみになるように後折線Ｌ３よりはみ出して配されている方が好ましい。前折線Ｌ１を指先でつまんで、後折線Ｌ３をひっぱりながら開封することで、製品の前方部２１をつまんでいることになるため、装着時に生理用ナプキン１０の前後を間違えずに装着できる。生理用ナプキン１０の製品の前方部２１が前折線Ｌ１で折畳まれていれば、つまんでも使用面に直接指先がふれる機会をできるだけ減らしながら、製品の後方部２４を開封できる。ここで、「製品」とは折り畳まれて個包装されたもの、個包装が開封されつつあるもの、もしくは個包装が開封され折り畳みが開かれたものをいう。
【００２３】
また前方部２１の包装材３０の裏面と後方部２４の包装材３０の裏面との少なくとも一方には、包装安定手段４０が配されている。
この包装安定手段４０には、粘着材、メカニカルファスナー、エンボス加工による摩擦増長手段、などが用いられる。粘着材としては、ホットメルト接着剤が挙げられる。ホットメルト接着剤を用いることで、より密封性が増す。
【００２４】
包装安定手段４０の設置面および被着面は、いずれか一方が前方部２１の包装材３０の裏面で前折線Ｌ１に近い位置に配され、他方が後方部２４の包装材３０の裏面で後折線Ｌ３に近い位置に配されている。
例えば、個装状態で前折線Ｌ１が外側にあり後折線Ｌ３が内側にある場合、包装安定手段４０の配置位置は、後折線Ｌ３からの距離が２ｍｍ以上、好ましくは３ｍｍ以上、さらに好ましくは５ｍｍ以上である。そして、包装安定手段４０の配置位置は、後折線Ｌ３からの距離が１２ｍｍ以下、好ましくは１０ｍｍ以下、さらに好ましくは７ｍｍ以下である。より具体的には、２ｍｍ〜１２ｍｍ、好ましくは３ｍｍ〜１０ｍｍ、さらに好ましくは５ｍｍ〜７ｍｍとする。なお、個装状態で前折線Ｌ１が外側にあり前折線Ｌ１が内側にある場合、包装安定手段４０の配置位置は、前折線Ｌ１からの距離となり、その距離は上記後折線Ｌ３からの距離と同等である。このように内側の折線から包装安定手段４０までの距離を上記範囲とすることで、個包装体２０の内部にごみが入り難くなる。また、外側に折線部分を持って個包装体２０を開封し易くなる。
【００２５】
さらに平面視で、包装安定手段４０の配置位置は、生理用ナプキン１０の本体ズレ止め材９が存在する位置に重なっていることが好ましい。すなわち、個装状態で本体ズレ止め材９と包装安定手段４０の設置面および被着面とは重なる位置に配されている。本体ズレ止め材９には包装材３０が剥離可能に接着されている。これにより、個装状態の包装材３０を前折線Ｌ１と後折線Ｌ３の部分を持って開封するとき、包装安定手段４０の被着部の包装材３０が伸びたり、破れたりせず、開封し易くなる。
【００２６】
また、本体ズレ止め材９は、生理用ナプキン１０の長手方向中央より前折線Ｌ１、後折線Ｌ３を超えて、生理用ナプキン１０の先端方向まで存していてもよい。本体ズレ止め材９を覆う包装材３０は、フィルムや不織布に直接剥離処理されたものを用いてもよいし、本体ズレ止め材９を覆うことができえる大きさを有する剥離紙のような別体の剥離シート（図示せず）を包装材３０に接着して用いてもよい。その場合は、上述のような効果を得るために、別体の剥離シートと包装材３０を接着させている部位と包装安定化手段４０の設置面および被着面が重なるようしておくとよい。本体ズレ止め材９は、生理用ナプキン１０の非使用面側に配置され、生理用ナプキン１０をショーツに貼り付け使用される。塗工された領域のショーツへの粘着材残りや、個装材（図示せず）からの取り出しやすさを考慮すると、連続的に（面状に）塗工（いわゆるベタ塗り）されていてもよいが、間欠的に塗工されていることが好ましい。間欠的な塗工形態としては、例えば、スパイラル状、幅方向に延びるストライプ状、Ω字状、ドット状が挙げられる。本体ズレ止め材９は生理用ナプキン１０の非使用面側の本体部前後左右方向においてほぼ中央に位置し、幅は３５〜７０ｍｍ、長さは、生理用ナプキン１０の長さに対して６５〜８５％の範囲であることが好ましく、使用時の生理用ナプキン１０のヨレ、ズレ防止の観点から、本体ズレ止め材の全ての粘着部を含み且つ平面視において四角形形状の領域が、吸収体と略同じかやや小さめの幅、長さがよい。
【００２７】
上記包装安定化手段４０は、例えばホットメルト接着剤が用いられる場合、その粘着力は０．０１Ｎ／ｃｍ以上であれば、密封性が維持でき、そして、ホットメルト接着剤の粘着力は、ＡＩＫＯＨ製プッシュプルゲージを用いて測定した剥離力が１Ｎ以下、好ましくは０．７Ｎ／ｃｍ以下、さらに好ましくは０．５Ｎ／ｃｍ以下である。より具体的には、０．０１Ｎ／ｃｍ〜１Ｎ／ｃｍ、好ましくは０．０１Ｎ／ｃｍ〜０．７Ｎ／ｃｍ、さらに好ましくは０．０１Ｎ／ｃｍ〜０．５Ｎ／ｃｍとする。
また上記ホットメルト接着剤の幅は、個装材の幅（ここでいう幅は、個装形態時の製品幅方向と同じ方向）に対して、５０％以上、好ましくは６５％以上、より好ましくは、個装材と同じ幅がよい。
上記包装安定化手段４０の粘着力、幅、長さが上記範囲に設定されることにより、包装材３０の前方部２１と後方部２４とが十分に接着されるので、個装状態において前折線Ｌ１と後折線Ｌ３との間からごみ等が個包装体２０の内部、特に生理用ナプキン１０の肌当接面に入り込まないようになる。よって、個包装体２０を衛生的に携行することができる。
【００２８】
上記個包装体２０ａでは以下のような効果を奏する。
上述したように、個包装体２０の内部、特に生理用ナプキン１０の肌当接面にゴミ等の異物が入り込まないので、個包装体２０を衛生的に携行することができる。
また、個包装体２０ａの前折線Ｌ１と後折線Ｌ３とが重ならないようにずらして配されていることにより、いずれか一方の折れ線部分を持って包装材３０を開封することで開封動作がしやすくなる。特にスリムタイプの生理用ナプキン１０の場合、前折線Ｌ１で折った状態や後折線Ｌ３で折った状態の厚さは３．５ｍｍ〜５ｍｍ程度と薄いため、前折線と後折線の位置がずれていることにより、いずれか一方の折れ線部分が摘まみやすくなり、開封動作がしやすくなる効果が大きい。このように本発明は、薄型の製品において特に大きな効果を奏するものである。
さらに、開封のための取り出し用のタブテープを使用していないので、タブテープを使用することによって、開封時に包装材３０が破れたり、開封しにくいという問題点が解決できる。
また、内装パックに入れられた状態においては、薄型の生理用ナプキンのパッケージは小さくなりがちであり、販売店の店頭では目立ちにくい。しかしながら、個装携帯を四つ折にして、折り重ねて陳列することで、店頭での登場感が増す効果が得られる。
【００２９】
例えば、図１のように、前折部Ｌ１が後折部Ｌ３よりもはみ出すようになっている場合には、前方部２１と中央後部２４の非肌当接面側の最外層面に着色したり模様を設け、それぞれで色やその配置を異ならせる、又は模様を異ならせることによって、前折線Ｌ１と後折線Ｌ３のずれが視認しやすくする。また、包装材３０には模様又は着色が施されており、折畳み状態において、重なっていないことが視認容易となる。なお、前折部Ｌ１よりも後折部Ｌ３がはみ出るようになっている場合には、後方部２４と中央前部２２で同様の異なる関係とすれば良い。要するに、視認容易とする手段は、前方部２１と中央後部２３、または後方部２４と中央前部２２における、模様の違い又は着色の色若しくは配色の相違によるものである。
これらの場合、包装材３０が、当該模様や色を透視可能な透明性を備えていることが必要である。透明性は、透明度Ｔｐによって評価することができ、透明度Ｔｐの値が大きいほど、透明性が高く、シースルー効果が高い。透明度Ｔｐは、下記測定方法によって測定される背黒色値ＬＢ、背白色値ＬＷ及び白色測定値ＬＷ０、黒色測定値ＬＢ０を用い、下記（式１）によって算出される。
（式１）  透明度Ｔｐ＝｛（ＬＷ０−ＬＢ０）／（ＬＷ−ＬＢ）｝×１００
【００３０】
＜背黒色値ＬＢ、背白色値ＬＷ及び白色測定値ＬＷ０、黒色測定値ＬＢ０の測定方法＞
測定には、日本電色工業（株）のハンディ型簡易分光色差計ＮＦ３３３を操作法ペンタ
イプで使用した。光源としてＣ／２を用いた。ＮＦ３３３のペンタイプセンサーの先端部
分においては、φ８ｍｍの先端径を選択した。尚、φ８ｍｍの先端径でのＮＦ３３３に付属の標準板における測定において、白色基準板の測定値は、Ｌ＊値９６、ａ＊値−１、ｂ＊値２であり、黒色基準板の測定値は、Ｌ＊値０、ａ＊値０、ｂ＊値０であった。これらの測定値は、何れも３回測定の平均値である。
分光色差計ＮＦ３３３に付属の標準黒色板を当ててＬ＊値を３回測定し、それらの平均値を背黒色値ＬＢとした。また、標準黒色板に代えて、分光色差計ＮＦ３３３に付属の標準白色板を用いた以外は前記と同様にしてＬ＊値を３回測定し、それらの平均値を背白色値ＬＷとした。次いで、標準白色板に包装材を重ねＬ＊値を３回測定し、それらの平均値を白色測定値ＬＷ０とし、標準白色版に代え、標準黒色板黒を用いた色測定値ＬＢ０とした。前記透明性を有している包装材３０は、透明度Ｔｐが、好ましくは１０〜９０、より好ましくは１５〜８５、更に好ましくは１５〜８０である。
また、これに代えて、包装材３０に色や模様を配して、同様の配置関係とすることによっても同様の効果を得られる。
【００３１】
次に、本発明に係る吸収性物品の個包装体の好ましい一実施形態（第２実施形態）について、図２を参照しながら、以下に説明する。
【００３２】
図２に示すように、第２実施形態の吸収性物品の個包装体２０（２０ｂ）に包まれる、吸収性物品は、前述と同様にスリムタイプと呼ばれている薄型の生理用ナプキン１０である。以下、薄型の生理用ナプキンの個包装体について詳細に説明する。
【００３３】
第２実施形態の個包装体２０ｂの生理用ナプキン１０、包装材３０、包装安定化手段４０（前記図１参照）等の個々の構成は、生理用ナプキン１０の折り方以外、前述した個包装体２０ａと同様である。
すなわち、包装材３０は、前折線Ｌ１、中央折線Ｌ２および後折線Ｌ３を有し、各折線によって前方部２１、中央前部２２、中央後部２３および後方部２４に区分されていて、上記生理用ナプキン１０が本体ズレ止め材９により剥離可能に包装材３０に接着された状態で長手方向に４つ折りに折り畳まれている。本例は、包装材３０は４つ折りにされ、生理用ナプキン１０は３つ折りにされている。長手方向に、包装材３０の前方部２１より生理用ナプキン１０が外方に出て、包装材３０の後方部２４が生理用ナプキン１０より外方に出て、幅方向に包装材３０より生理用ナプキン１０のほうが短い。したがって、前折線Ｌ１および中央折線Ｌ２では、包装材３０とともに生理用ナプキン１０が折り畳まれ、後折線Ｌ３では包装材３０のみが折り畳まれている。
【００３４】
すなわち、上記包装材３０は、上記生理用ナプキン１０とともに、前折線Ｌ１で前方部２１と中央前部２２のそれぞれの生理用ナプキン１０が配される面同士が対向するように折畳まれ、後折線Ｌ３で中央後部２３と後方部２４の包装材３０の後方部２４と生理用ナプキン１０が対向するように折畳まれている。
前記個包装体２０ａと同様に、前折線Ｌ１と後折線Ｌ３とは、個装状態で重ならず、互いにずれた位置に配されている。
そして包装安定化手段（図示せず）は、前方部２１の前折線Ｌ１に近い位置および後方部２４の後折線Ｌ３に近い位置の包装材３０の裏面に配されている。
【００３５】
個包装体２０ｂに用いた生理用ナプキン１０は、ウイング５を有し、ヒップガードがないものを用いたが、前記第１実施形態の生理用ナプキン１０と同様に、ヒップガードを有するものを用いてもよい。
【００３６】
上記個包装体２０ｂは、前記個包装体２０ａと同様な効果を奏する。
【００３７】
個包装体２０（２０ｂ）は、前述の個包装体２０ａの構成において、剥離シート１１のみを備えたものである。生理用ナプキン１０の構成は、ウイング５が配され、ヒップガードが配されていないものである。各ウイング５にはそれぞれ粘着部７、７が配されている。この粘着部７、７には、前述の第１実施形態と同様の剥離シート１１が配されている。
【００３８】
上記包装材３０は、上記生理用ナプキン１０および剥離シート１１とともに、前折線Ｌ１で前方部２１と中央前部２２のそれぞれの生理用ナプキン１０が配される面同士が対向するように折畳まれ、後折線Ｌ３で中央後部２３の生理用ナプキン１０が配される面と後方部２４の面同士が対向するように折畳まれている。その際、前折線Ｌ１に剥離シート１１がかかっている場合には、前折線Ｌ１で剥離シート１１も折り畳まれる。本例の場合、前折線Ｌ１で前方部２１と中央前部２２のそれぞれの生理用ナプキン１０の肌当接面同士が剥離シート１１を介して対向するように折り畳まれ、後折線Ｌ３で中央後部２３の生理用ナプキン１０の肌当接面と後方部２４の包装材３０の面とが対向するように折り畳まれている。さらに、生理用ナプキン１０は、その肌当接面が個包装体２０の内側となるように少なくとも中央折線Ｌ２で折畳まれ、前方部２１の非肌当接面と後方部２４の非肌当接面が対向している。すなわち本例は、包装材３０は４つ折りにされ、生理用ナプキン１０は３つ折りにされている。
そして前記個包装体２０ａと同様に、前折線Ｌ１と後折線Ｌ３とは、個装状態で重ならず、互いにずれた位置に配されている。
【００３９】
図示はしないが、また、剥離シート１１を配するかわりに長手方向に包装材３０を生理用ナプキン１０より長く延出させ、前折線Ｌ１および後折線Ｌ３は、生理用ナプキン１０にかからず、包装材３０のみに位置する。さらに、包装材３０の前方部２１は、前折線Ｌ１で折った状態で、ウイング５の粘着部７を被覆する長さを有している仕様でもよい。その場合、包装材３０は４つ折りにされ、生理用ナプキン１０は２つ折りにされている。
この仕様においては、別体の剥離シートを使用しないため加工がより簡便化される。
また、製品としては少ない折畳みとすることで、生理用ナプキン１０のショーツへの装着し難さが減り、しっかりとショーツに固定することができ、使用時の違和感も減少する。
【００４０】
上記個包装体２０ｂは、前記個包装体２０ａと同様な効果を奏する。
また上述したように、個包装体２０ｂでは、包装材３０の前方部２１がウイング５の粘着部７の剥離シートの機能を有し、包装材３０の前方部２１がウイング５の粘着部７の剥離シートの機能を有することができる。このため、別途の剥離シートを必要としないので、剥離シートのごみが出ないという利点があり、さらに個包装体２０ｂを開封した後の包装材３０の取り扱いが容易になる。
【００４１】
なお、上記各実施形態において、包装材３０の幅方向の側部は、折り畳んで重ね合わせた状態で接合されている。接合方法は既存の方法を採用でき、例えばエンボス接合、ホットメルト接着剤による接合等が挙げられる。
また、上記各実施形態に用いた生理用ナプキン１０は、ウイング５およびヒップガード６を有するものであっても、ウイング５のみを有するものであってもよい。
【００４２】
また、図３に示すように、各実施形態において、前折線Ｌ１と後折線Ｌ３で折り畳まれた個包装体２０を開封した状態で、生理用ナプキン１０の前後方向を見分ける印が剥離シート１１、１３もしくは包装材３０に表示されていることが好ましい。図面では、一例として、前方部２１の包装材３０と、剥離シート１３に印５０が表示されている構成を示した。この印５０は、図示したように「前」、「後」というような文字であっても、図示はしていないが矢印や図形であってもよく、前側と後ろ側が判別できればよい。
このように、前側と後ろ側が判別できる印５０が表示されていることにより、迷いなく、開封動作を行うことができる。
【００４３】
次に、生理用ナプキン１０から包装材３０を剥がし取る方法の一例として、第１実施形態の第１例について、前記図１を参照して以下に説明する。
【００４４】
前記図１（ｂ）に示したように、個装状態の包装材３０を、前折線Ｌ１より内側に配されている後折線Ｌ３の部分を指に引っ掛け、外方に出ている前折線Ｌ１の部分を指で摘まんで、開封動作を始める。先ず、包装安定手段４０で接着されている前方部２１と後方部２４を引きはがす。さらに、包装材３０の側部を引き剥がして開封し、折り畳まれた中央折線Ｌ２部分を開く。次に、前記図１（ａ）に示したように、固定部１２より延出させた剥離シート１１の端部１１ｅの自由端となっている部分を摘まんで、剥離シート１１を粘着部７から剥離するとともに、包装材３０を生理用ナプキン１０の非肌当接面側に回して本体ズレ止め材９から剥離する。さらに包装材３０に固定された状態で剥離シート１３をヒップガード６の粘着部８から剥離する。したがって、包装材３０の開封作業と剥離シート１１、１３の剥離作業が１動作で行えるので、開封作業が簡単化される。しかも、剥離した包装材３０に剥離シート１１、１３が固定されているので、それらの取りまとめが容易になる。さらに、粘着部７と粘着部８に接着される剥離シートは、２枚の別々の剥離シート１１、１３を用いているため、剥離シートを小さくでき、剥離シートの使用量およびごみの削減ができる。
【００４５】
次に、上述の各実施形態に用いた薄型の生理用ナプキン１０の基本構成について、図４を参照して以下に説明する。図４では、生理用ナプキン１０の幅方向をＸ、長手方向をＹで示した。
【００４６】
図４に示すように、生理用ナプキン１０は、肌当接面側に配置される液透過性の表面シート１と、非肌当接面側に配置される液不透過性の裏面シート２と、表面シート１と裏面シート２との間に介在される液保持性を有する吸収体３と、を有する縦長の本体（吸収性本体ともいう。）４とを備えている。本体４には、その中央前部の両側部に外方に延出するウイング５を有し、中央後部から後方部にかけての両側部に外方に延出するヒップガード６を有する。各ウイング５の付け根部分は、ウイング５を広げた状態で、円弧状もしくは角部を丸くした台形で、付け根部分が曲線状に形成されている。なお、図面では、ウイング５を折り畳んだ状態を示している。また、ヒップガード６の各付け根部分は、各ヒップガード６を広げた状態で、円弧状もしくは緩やかな曲線を描く山型で、付け根部分が曲線状に形成されている。なお、図面では、ヒップガード６を折り畳んだ状態を示している。
【００４７】
本体４の形状は、装着時に着用者の股下部分を介して下腹部側から臀部側へと配される長手方向（Ｙ方向）とこれと直交する幅方向（Ｘ方向）とを有する縦長の形状である。本発明においては、特に断らない限り、人体に接触する側を肌当接面側または表面側といい、下着に接する側を非肌当接面側または裏面側という。さらに生理用ナプキン１０の平面視において相対的に長さのある方向を長手方向といい、この長手方向と直交する方向を幅方向という。上記長手方向は典型的には装着状態において人体の前後方向と一致する。
本体４は通常この種の生理用ナプキン等に用いる材料を使用することができ、特に限定されるものではない。
【００４８】
表面シート１は、親水性不織布で形成されることが好ましい。親水性不織布としては、エアースルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく使用できる。
【００４９】
裏面シート２は、防水性があり透湿性を有していれば特に限定されない。例えば疎水性の熱可塑性樹脂と、炭酸カルシウム等からなる微小な無機フィラーまたは相溶性のない有機高分子等とを溶融混練してフィルムを形成し、該フィルムを一軸または二軸延伸して得られる多孔性フィルムが挙げられる。熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独でまたは混合して用いることができる。
【００５０】
吸収体３には、例えば、繊維集合体またはこれと吸収性ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。また吸収体３を被覆する被覆シートを用いることもできる。この被覆シートには、親水性のティッシュペーパー等の薄手の紙（薄葉紙）、コットンやレーヨンなどの親水性繊維からなる不織布、合成樹脂の繊維に親水化処理を施してなる不織布（スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）等の複合不織布）等を用いることができる。前記図１に示した生理用ナプキン１０では、中央前部２２において、物品幅方向中央部で、折畳んだウイング５と重ならない位置に、上層吸収体３ａが下層吸収体（図示せず）の上に配されている。この場合は折畳み性、個包装時の嵩高感の低減と、個包装体の開放時の操作のし易さが得られる。
【００５１】
ウイング５は、撥水性の嵩高で繊維密度の疎な柔らかい不織布からなり、その基部が上記表面シート１と裏面シート２とに挟持され固定されている。またウイング５は、それぞれ裏面側の面に粘着部６を有している。この粘着部６は、下着にウイング５を粘着固定し、下着に対して生理用ナプキン１０がずれるのを防止するものであり、各種の粘着材を特に制限無く用いることができる。粘着部６にはホットメルト接着剤が用いられ、ホットメルト接着剤としては、スチレン−ブタジエン共重合体、スチレン−イソプレン共重合体等が挙げられる。そしてウイング５は、折り曲げ自在となっており、本発明では表面シート１側に折り畳まれている。したがって、上記粘着部６は表面側に向いている。
このように生理用ナプキン１０の使用時に股下にあたるウイング５が柔らかな不織布を有するため、この部分が肌に触れてもフィルムのようなごわつき感を感じることなく柔らかな肌触りとなる。
上記ウイング５は、上記形態に限定されることはなく、本体４の両側部の外方に延出するように配されたものであり、上記粘着部７を有し、表面シート１側に折り畳まれているものであれば、如何なる形態であってもよい。
【００５２】
上記ウイング５は、上記粘着部７から剥離シート（図示せず）を剥がして、装着者のショーツの股下部に巻きつけて貼り付けて固定するもので、上述の粘着部６を固定材といている。このウイング５は、本体４の排泄部（膣口）対向領域に配される。この排泄部対向領域は、昼用の場合には生理用ナプキン１０の長手方向中央部であり、夜用の場合には生理用ナプキン１０の長手方向前方であり、物品の使用目的等に合わせてその位置が設定される。
【００５３】
また、ヒップガード６は、主に夜用の生理用ナプキン１０に配されるもので、上記ウイング５と同様な材料で作製されている。そのため、ウイング５と同様な材質的な作用効果を得ることができる。
【００５４】
前記図１等を参照して説明した剥離シート１１、１３は、一般の生理用ナプキンの剥離シートと同様な材料のものを用いることができ、具体的には、シリコーン処理剤の塗工量が例えば０．１〜５ｇ／ｍ２の剥離処理した上質紙、グラシン紙、ポリエチレンフィルム、それらの複合物等が挙げられる。この剥離処理は、公知の手法を用いて行うことができる。さらに剥離シート１１、１３は、その外形が両粘着部７、８を被覆する大きさであればよく、図示したように必ずしも矩形である必要はない。上記粘着部７、８を完全に被覆する形状であれば、如何なる形状であってもよく、矩形（長方形、正方形）の他に、例えば、多角形、長円形、楕円形、円形、またはそれらの一部が延出された形状、それらの一部がくびれた形状、等であってもよい。
【００５５】
前記図１等を参照して説明した包装材３０の材料は、公知のものを用いることができ、具体的には、厚さ５〜５０μｍのポリプロピレン、ポリエステル、ポリエチレン、ポリビニルアルコール、あるいは不織布や紙、およびこれらの複合材料等の包装材材料が挙げられる。前記包装材３０の内面の剥離処理は、公知の手法を用いて行うことができ、具体的には、包装材の内面全面に、剥離処理剤を塗布するか又は剥離テープ、剥離紙、剥離処理した不織布、剥離処理したポリエチレンラミネート紙若しくは剥離処理したポリエチレンフィルム等の剥離部材を貼付する等して行うことができる。
【００５６】
上述した実施形態および実施態様に関し、さらに以下の付記（吸収性物品の個包装体）を開示する。
【００５７】
＜１＞肌当接面とその反対面に非肌当接面を備えた吸収性物品を包装体とともに個別包装した吸収性物品の個包装体であって、前記包装体は、前折線、中央折線および後折線を有し、前記各折線によって前方部、中央前部、中央後部および後方部とに区分され、吸収性物品が配された状態で該包装材は長手方向に４つ折りに折り畳まれており、前記前折線で前記前方部と前記中央前部のそれぞれの前記吸収性物品が配される面同士が対向するように折畳まれ、前記後折線で前記後方部と前記中央後部のそれぞれの前記吸収性物品が配される面同士が対向するように折畳まれており、前記吸収性物品は、肌当接面が個包装体の内側となるように少なくとも前記中央折線で折畳まれ、前記前折線と前記後折線とは重ならず、前記包装材の前方部と後方部の少なくとも一方には、該前方部と後方部が対向している領域において、吸収性物品の個包装体。
＜２＞前記包装安定手段がホットメルト接着剤である前記＜１＞に記載の吸収性物品の個包装体。
＜３＞前記包装安定手段の設置面および被着面は、平面視で前記本体ズレ止め材が存在する位置に重なって存する前記＜１＞又は＜２＞に記載の吸収性物品の個包装体。
＜４＞前記包装材は前記長手方向において、その前後端部それぞれが、前記吸収性物品の長手方向前端縁及び後端縁それぞれよりも内側に位置している前記＜１＞〜＜３＞いずれか１に記載の吸収性物品の個包装体。
＜５＞前記吸収性物品の非肌当接面側の最外層面に、模様が配されているか又は着色が施されており、前記包装材は該模様又は着色の色が透視可能な光透過率を有している、前記＜１＞〜＜４＞のいずれか１に記載の吸収性物品の個包装体。
＜６＞前記模様又は着色の色若しくは配色が前方部と中央後部で異なっているか、後方部と中央前部で異なっている前記＜５＞記載の吸収性物品の個包装体。
＜７＞前記包装材には模様又は着色が施されており、折畳み状態において、前記重なっていないことを視認容易となされている、前記＜１＞〜＜４＞のいずれか１に記載の吸収性物品の個包装体。
＜８＞前記視認容易とする手段が、前記前方部と中央後部、または前記後方部と中央前部における、前記模様の違い又は着色の色若しくは配色の相違によるものである、前記＜７＞記載の吸収性物品の個包装体。
＜９＞前記吸収性物品は、粘着部を備えた、ウイング、もしくはウイングとヒップガードを有し、前記粘着部は剥離可能な剥離シートが接着され、前記剥離シートは少なくとも前記包装材に固定されている前記＜１＞〜＜８＞のいずれか１に記載の吸収性物品の個包装体。
＜１０＞前記吸収性物品が前記ウイングおよび前記ヒップガードの両方を有し、前記剥離シートは前記ウイングの粘着部および前記ヒップガードの粘着部のそれぞれに分離して剥離可能に接着されている前記＜９＞に記載の吸収性物品の個包装体。
＜１１＞前記前折線と前記後折線で折り畳まれた前記個包装体を開封した状態で、前記吸収性物品の前後方向を見分ける印が前記剥離シートもしくは前記包装材に表示されている前記＜４＞又は＜５＞記載の吸収性物品の個包装体。
＜１２＞前記包装材の前方部で前記吸収性物品が配された面とは反対の裏面に固定された前記剥離シートが前記包装材への固定位置より前記前折線方向に延出されている前記＜９＞〜＜１１＞のいずれか１に記載の吸収性物品の個包装体。
＜１３＞前記包装材の前方部、中央前部、中央後部及び後方部夫々に対応するように、前記吸収性物品が配されている、前記＜１＞〜＜１２＞のいずれか１に記載の吸収性物品の個包装体。
＜１４＞折り畳みを開放した展開状態において、前記包装材が吸収性物品よりも長手方向に長く、前記前方部及び後方部夫々に対応する位置には吸収性物品が配されておらず、
折畳み状態においては、包装材が４つ折りであり、吸収性物品が２つ折りである、前記＜１＞〜＜１３＞いずれか１に記載の吸収性物品。
＜１５＞前記前折線が外側で後折線が内側になり、３〜２５ｍｍずれている、前記＜１＞〜＜１４＞いずれか１に記載の吸収性物品。
＜１６＞前記吸収性物品が生理用ナプキンである、前記＜１＞〜＜１５＞いずれか１に記載の吸収性物品。
【符号の説明】
【００５８】
１  表面シート
２  裏面シート
３  吸収体
４  本体（吸収性本体）
５  ウイング
６  ヒップガード
７，８  粘着部
９  本体ズレ止め材
１０  生理用ナプキン（吸収性物品）
１１，１３  剥離シート
１２，１４  固定部
２０（２０ａ〜２０ｈ）  吸収性物品の個包装体
２１  前方部
２２  中央前部
２３  中央後部
２４  後方部
３０  包装材
４０  包装安定化手段
Ｌ１  前折線
Ｌ２  中央折線
Ｌ３  後折線
【図１】
2014076216.tif 000003
【図２】
2014076216.tif 000004
【図３】
2014076216.tif 000005
【図４】
2014076216.tif 000006